(57)【要約】【課題】従来の問題を解決するための音量制御方法を提供する。【解決手段】音量制御方法は、（ａ）音量調整指令を受け、（ｂ）音量調整指令に対応する音量が所定音量範囲に入っているかどうかを判断し、（ｃ）音量調整指令に対応する音量が所定音量範囲に入っていれば、音量調整指令に従って現在音量を調整し、（ｄ）音量調整指令に対応する音量が所定音量範囲に入っていなければ、（ｄ１）音量調整指令に従って現在音量を調整し、（ｄ２）調整された現在音量の持続時間を計算し、持続時間が所定値に達すると、所定音量範囲を参照して現在音量を更に調整するステップからなる。【選択図】図３
2008022512.tif 000002
【特許請求の範囲】
【請求項１】
音量制御方法であって、
（ａ）音量調整指令を受け、
（ｂ）音量調整指令に対応する音量が所定音量範囲に入っているかどうかを判断し、
（ｃ）音量調整指令に対応する音量が所定音量範囲に入っていれば、音量調整指令に従って現在音量を調整し、
（ｄ）音量調整指令に対応する音量が所定音量範囲に入っていなければ、
（ｄ１）音量調整指令に従って現在音量を調整し、
（ｄ２）調整された現在音量の持続時間を計算し、持続時間が所定値に達すると、所定音量範囲を参照して現在音量を更に調整するステップからなることを特徴とする音量制御方法。
【請求項２】
前記ステップ（ｄ２）は、調整された現在音量の持続時間が所定値に達すると、現在音量を所定音量範囲に接近させるように調整することを内容とすることを特徴とする請求項１記載の音量制御方法。
【請求項３】
前記ステップ（ｄ２）は、現在音量が所定音量範囲に入るときまで繰り返されることを特徴とする請求項２記載の音量制御方法。
【請求項４】
前記ステップ（ｄ２）は、調整された現在音量の持続時間が所定値に達すると、現在音量を所定音量範囲に入るように調整することを内容とすることを特徴とする請求項１記載の音量制御方法。
【請求項５】
前記音量制御方法は携帯型電子装置に利用されることを特徴とする請求項４記載の音量制御方法。
【請求項６】
前記携帯型電子装置はＭＰ３プレイヤーであることを内容とすることを特徴とする請求項５記載の音量制御方法。
【請求項７】
前記ステップ（ｄ）は更に、現在音量が所定音量範囲に入っていないと判断すれば、警告メッセージを発するステップを含むことを特徴とする請求項１記載の音量制御方法。
【請求項８】
前記所定音量範囲は現在音量より高い所定音量から無限大までとされ、前記ステップ（ｄ２）は現在音量を更に上げることを内容とすることを特徴とする請求項１記載の音量制御方法。
【請求項９】
前記所定音量範囲は０から現在音量より低い所定音量までとされ、前記ステップ（ｄ２）は現在音量を更に下げることを内容とすることを特徴とする請求項１記載の音量制御方法。
【請求項１０】
音量制御方法であって、
現在音量を第一音量に調整する指令を受け、
第一音量が所定音量より低いかどうかを判断し、低いのであれば現在音量を第一音量に調整し、さもなければ現在音量を第一音量に調整し、同時に第一音量の持続時間を計算し、
第一音量の持続時間が所定値を超えると、現在音量を第一音量より低い第二音量に調整するステップからなることを特徴とする音量制御方法。
【請求項１１】
前記第二音量が所定音量より高ければ、前記方法は更に、第二音量の持続時間を計算し、持続時間が所定値を超えると、現在音量を第二音量より低い第三音量に調整するステップを含むことを特徴とする請求項１０記載の音量制御方法。
【請求項１２】
前記音量制御方法は携帯型電子装置に利用されることを特徴とする請求項１０記載の音量制御方法。
【請求項１３】
前記携帯型電子装置はＭＰ３プレイヤーであることを内容とすることを特徴とする請求項１２記載の音量制御方法。
【請求項１４】
前記方法は更に、第一音量が所定音量より低くなければ、警告音を発するステップを含むことを特徴とする請求項１０記載の音量制御方法。
【請求項１５】
音量制御方法であって、
現在音量を第一音量に調整する指令を受け、
第一音量が所定音量より高いかどうかを判断し、高いのであれば現在音量を第一音量に調整し、さもなければ現在音量を第一音量に調整し、同時に第一音量の持続時間を計算し、
第一音量の持続時間が所定値を超えると、現在音量を第一音量より高い第二音量に調整するステップからなることを特徴とする音量制御方法。
【請求項１６】
前記第二音量が所定音量より低ければ、前記方法は更に、第二音量の持続時間を計算し、持続時間が所定値を超えると、現在音量を第二音量より高い第三音量に調整するステップを含むことを特徴とする請求項１５記載の音量制御方法。
【請求項１７】
前記音量制御方法は携帯型電子装置に利用されることを特徴とする請求項１５記載の音量制御方法。
【請求項１８】
前記携帯型電子装置はＭＰ３プレイヤーであることを内容とすることを特徴とする請求項１７記載の音量制御方法。
【発明の詳細な説明】
【技術分野】
【０００１】
この発明は音量制御方法に関し、特に所定音量の持続時間を計算することで、現在音量を調整する音量制御方法に関する。
【背景技術】
【０００２】
携帯型電子装置は技術の発展に伴ってますます人気を集めてきた。特にＭＰ３プレイヤーは、随所に見られるような人気商品となっている。
【０００３】
しかし、長時間にわたってイヤホンを使用した結果、大音量による聴力への悪影響が現れてきた。それに鑑みて、ＭＰ３プレイヤーの音量制御は重要である。しかし、音量制御の可能な製品はいまだに実現されていない。
【０００４】
したがって、前記問題を解決する方法は必要である。
【発明の開示】
【発明が解決しようとする課題】
【０００５】
この発明は従来の問題を解決するための音量制御方法を提供することを課題とする。
【課題を解決するための手段】
【０００６】
この発明は音量制御方法を提供する。該方法は、（ａ）音量調整指令を受け、（ｂ）音量調整指令に対応する音量が所定音量範囲に入っているかどうかを判断し、（ｃ）音量調整指令に対応する音量が所定音量範囲に入っていれば、音量調整指令に従って現在音量を調整し、（ｄ）音量調整指令に対応する音量が所定音量範囲に入っていなければ、（ｄ１）音量調整指令に従って現在音量を調整し、（ｄ２）調整された現在音量の持続時間を計算し、持続時間が所定値に達すると、所定音量範囲を参照して現在音量を更に調整するステップからなる。
【０００７】
この発明による第二の音量制御方法は、現在音量を第一音量に調整する指令を受け、第一音量が所定音量より低いかどうかを判断し、低いのであれば現在音量を第一音量に調整し、さもなければ現在音量を第一音量に調整し、同時に第一音量の持続時間を計算し、第一音量の持続時間が所定値を超えると、現在音量を第一音量より低い第二音量に調整するステップからなる。
【０００８】
この発明による第三の音量制御方法は、現在音量を第一音量に調整する指令を受け、第一音量が所定音量より高いかどうかを判断し、高いのであれば現在音量を第一音量に調整し、さもなければ現在音量を第一音量に調整し、同時に第一音量の持続時間を計算し、第一音量の持続時間が所定値を超えると、現在音量を第一音量より高い第二音量に調整するステップからなる。
【発明の効果】
【０００９】
この発明はＭＰ３プレイヤーをはじめとするすべての携帯型電子装置または音声再生装置に適し、音量を適切な範囲に制御することで、イヤホンの長時間使用による聴力への悪影響を防止することができる。
【発明を実施するための最良の形態】
【００１０】
かかる方法の特徴を詳述するために、具体的な実施例を挙げ、図を参照して以下に説明する。
【実施例１】
【００１１】
図１を参照する。図１はこの発明の実施例１を表す説明図である。図１に示すように、音量を無音（０）から最大音量まで１０つのレベルに分ける。ここで現在音量を４、所定安全音量を５とする。そうすれば、第一音量（例えば９）まで音量を調整する指令を受けると、この発明による音量制御方法はまず、第一音量が安全音量５より低いかそれに等しいかどうかを判断する。５より低いかそれに等しければ、現在音量を第一音量まで調整して音声制御を終了させる。さもなければ、現在音量を第一音量まで調整し、それと同時に第一音量の持続時間ｔを計算する。第一音量の持続時間ｔが所定時間Ｔを超えると、現在音量を第一音量より低い第二音量（例えば７）に調整し、同時に第二音量が安全音量５より低いかそれに等しいかどうかを判断する。５より低いかそれに等しければ、音声制御を終了させ、さもなければ第二音量の持続時間ｔを計算する。第二音量の持続時間ｔが所定時間Ｔを超えると、現在音量を第二音量より低い第三音量（例えば４）に調整する。続いて、第三音量が安全音量５より低いかそれに等しいかどうかを判断する。５より高ければ前記調整を繰り返して音量を下げ、さもなければ音量制御を終了させる。
【実施例２】
【００１２】
図２を参照する。図２はこの発明の実施例２を表す説明図である。音量を所定音量より低く調整する実施例１とは異なって、実施例２は音量を所定音量より高く調整する。実施例１と同じように、実施例２も音量を無音（０）から最大音量まで１０つのレベルに分ける。ここで現在音量を３、所定音量を６とする。第一音量（例えば３）まで音量を調整する指令を受けると、この発明による音量制御方法はまず、第一音量が所定音量６より高いかそれに等しいかどうかを判断する。６より高いかそれに等しければ、現在音量を第一音量まで調整して音声制御を終了させる。さもなければ、現在音量を第一音量まで調整し、それと同時に第一音量の持続時間ｔを計算する。第一音量の持続時間ｔが所定時間Ｔを超えると、現在音量を第一音量より高い第二音量（例えば５）に調整し、第二音量が所定音量６より高いかそれに等しいかどうかを判断する。６より高いかそれに等しければ、音声制御を終了させ、さもなければ第二音量の持続時間ｔを計算する。持続時間ｔが所定時間Ｔを超えると、現在音量を第二音量より高い第三音量（例えば７）に調整する。続いて、第三音量が所定音量６より高いかそれに等しいかどうかを判断する。６より低ければ、前記調整を繰り返して音量を上げ、さもなければ音量制御を終了させる。
【００１３】
前記音量制御方法はＭＰ３プレイヤーのほか、あらゆる携帯型電子装置及び音声再生装置にも適する。
【００１４】
なお、音量調整の度合い、特定音量の持続時間ｔ、所定時間Ｔないし安全音量などのパラメーターはいずれも前述に限らず、具体的な要求に従って自由に設定できるものである。
【００１５】
図３を参照する。図３はこの発明の実施例１と実施例２に対応するフローチャートである。
【００１６】
ステップ３０１：音量調整指令を受ける。
ステップ３０３：音量調整指令に対応する音量が所定音量範囲に入っているかどうかを判断する。「はい」であればステップ３０５に移り、「いいえ」であればステップ３０９に移る。
ステップ３０５：現在音量を調整する。
ステップ３０７：音量制御方法を終了させる。
ステップ３０９：音量調整指令に従って現在音量を調整し、新規音量の持続時間ｔを計算する。
ステップ３１１：新規音量の持続時間ｔが所定時間Ｔを超えたかどうかを判断する。「いいえ」であればステップ３１３に移り、「はい」であればステップ３１５に移る。
ステップ３１３：計時を継続しながら、新規音量の持続時間ｔが所定時間Ｔを超えたかどうかという前記ステップ３１１の判断を繰り返して行う。
ステップ３１５：所定音量範囲を参照して現在音量を更に調整する。
ステップ３１７：現在音量が所定音量範囲に入っているかどうかを判断する。「いいえ」であればステップ３１９に移り、「はい」であればステップ３２１に移る。
ステップ３１９：計時を継続する。
ステップ３２１：音量制御方法を終了させる。
【００１７】
実施例１と実施例２に照らし合わせれば、前記ステップ３１５は音量を所定値に接近させるように順次調整することを意味する。しかしこの発明はそれに限らず、ステップ３１５で音量を所定範囲に含まれるように一気に調整することも可能である。そうすればステップ３１７、ステップ３１９、ステップ３２１は不要とされる。また、ステップ３０３で現在音量が所定音量範囲に入っていないと判断すると、ユーザーに警告メッセージを発するように設定しても可能である。
【００１８】
前記フローチャートを実施例１に照らし合わせれば、所定音量範囲とは０から所定音量５までの範囲をさし、ステップ３１５は音量を下げることを内容とする。また、実施例２に照らし合わせれば、所定音量範囲とは第一所定音量６から無限大（または第一所定音量より高い第二所定音量）までの範囲をさし、ステップ３１５は音量を上げることを内容とすることとなる。
【００１９】
図４を参照する。図４はこの発明の実施例１に対応するフローチャートである。新規音量が所定音量範囲に入っているか否かを判断する図３とは異なり、図４は新規音量が所定音量より低いか高いかを判断する。
【００２０】
ステップ４０１：音量調整指令を受け、現在音量を第一音量に予め調整しておく。
ステップ４０３：第一音量が所定音量より高いかどうかを判断する。「いいえ」であればステップ４０５に移り、「はい」であればステップ４０９に移る。
ステップ４０５：現在音量を第一音量に調整する。
ステップ４０７：音量制御方法を終了させる。
ステップ４０９：現在音量をそれより低い第一音量に調整し、新規音量の持続時間ｔを計算する。
ステップ４１１：新規音量の持続時間ｔが所定時間Ｔを超えたかどうかを判断する。「いいえ」であればステップ４１３に移り、「はい」であればステップ４１５に移る。
ステップ４１３：計時を継続しながら、新規音量の持続時間ｔが所定時間Ｔを超えたかどうかという前記ステップ４１１の判断を繰り返して行う。
ステップ４１５：現在音量を第一音量より低い第二音量に調整する。
ステップ４１７：第二音量が所定音量より高いかどうかを判断する。「いいえ」であればステップ４２１に移り、「はい」であればステップ４１９に移る。
ステップ４１９：計時を継続する。
ステップ４２１：音量制御方法を終了させる。
【００２１】
同じく、ステップ４１５で音量を所定音量より低いレベルまで一気に調整することも可能であり、そうすればステップ４１７、４１９、４２１は不要とされる。また、ステップ４０３で第一音量が所定音量より高くないと判断すると、ユーザーに警告メッセージを発するように設定しても可能である。
【００２２】
図４は実施例１に対応するフローチャートである。それを実施例２に対応させようとすれば、図示を変更せず、下記のようにステップの内容を変更するのみでよい。
【００２３】
ステップ４０３：第一音量が所定音量より低いかどうかを判断する。「いいえ」であればステップ４０５に移り、「はい」であればステップ４０９に移る。
ステップ４０９：現在音量をそれより高い第一音量に調整し、新規音量の持続時間ｔを計算する。
ステップ４１５：現在音量を第一音量より高い第二音量に調整する。
ステップ４１７：第二音量が所定音量より低いかどうかを判断する。「いいえ」であればステップ４２１に移り、「はい」であればステップ４１９に移る。
【００２４】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２５】
この発明はすべての携帯型電子装置及び音声再生装置に適する。
【図面の簡単な説明】
【００２６】
【図１】この発明の実施例１を表す説明図である。
【図２】この発明の実施例２を表す説明図である。
【図３】この発明の実施例１と実施例２に対応する第一フローチャートである。
【図４】この発明の実施例１に対応する第二フローチャートである。
【符号の説明】
【００２７】
なし
【図１】
2008022512.tif 000003
【図２】
2008022512.tif 000004
【図３】
2008022512.tif 000005
【図４】
2008022512.tif 000006